(57)【要約】      （修正有）【課題】暗所における人の活動時に上半身に着用して視認性を確保するための発光機能を備えた表示板付き安全胴衣を提供する。【解決手段】情報表示板５に設けた電気的発光装置Ａをコネクタ等の着脱可能な電気的接続手段８を介して胴衣部１に備えた電源部４と接続し、光反射手段２の表面に設けた電気的発光手段３について、光透過色であり、かつ柔軟な素材を用いて棒状もしくは管状形状を成すフレキシブル導光体と、その末端部分から光を入射する様に発光ダイオード等の電気的発光装置Ｂを設けて構成し、前記電源部に前記情報表示板に設けた着脱可能な結合保持手段に対して結合可能な結合保持手段を設け、前記フレキシブル導光体は、前記胴衣部と光反射手段を貫通した穴を通した結束手段１１により胴衣部に保持し、更にこの同じ結束手段を用いて電気配線を胴衣部の裏地側に保持したことを特徴とする表示板付き安全胴衣である。【選択図】図１
0003171334.tif 000002
【実用新案登録請求の範囲】
【請求項１】
身体上半身に着用可能な衣服形状を成す胴衣部と、この胴衣部表面に着用時に身体の正面側から背面側に渡って肩部を越える様に帯状の光反射手段を設け、この光反射手段の表面に帯状長手方向に沿って電気的発光手段を設け、これに電気的に接続されたバッテリー等の電源部を前記胴衣部に備え、胴衣部表面の身体の正面側もしくは背面側もしくはその両側に表示情報を発光もしくは照明せしめる電気的発光装置Ａを設けた情報表示板を備えたことを特徴とする表示板付き安全胴衣。
【請求項２】
前記胴衣部と情報表示板は双方に面ファスナー等の着脱可能な結合保持手段を設けてこれにより結合保持したことを特徴とする請求項１記載の表示板付き安全胴衣。
【請求項３】
前記情報表示板に設けた電気的発光装置Ａをコネクタ等の着脱可能な電気的接続手段を介して前記胴衣部に備えた電源部と接続したことを特徴とする請求項２に記載の表示板付き安全胴衣。
【請求項４】
前記光反射手段の表面に設けた電気的発光手段について、光透過色であり、かつ柔軟な素材を用いて棒状もしくは管状形状を成すフレキシブル導光体と、その末端部分から光を入射する様に発光ダイオード等の電気的発光装置Ｂを設けて構成したことを特徴とする請求項１もしくは請求項２もしくは請求項３に記載の表示板付き安全胴衣。
【請求項５】
前記電源部に前記情報表示板に設けた着脱可能な結合保持手段に対して結合可能な結合保持手段を設けたことを特徴とする請求項３もしくは請求項４に記載の表示板付き安全胴衣。
【請求項６】
前記フレキシブル導光体は、前記胴衣部と光反射手段を貫通した穴を通した結束手段により胴衣部に保持し、更にこの同じ結束手段を用いて電気配線を胴衣部の裏地側に保持したことを特徴とする請求項４もしくは請求項５に記載の表示板付き安全胴衣。
【考案の詳細な説明】
【技術分野】
【０００１】  この考案は、暗所における人の活動時に上半身に着用して視認性を確保するための発光機能を備えた表示板付き安全胴衣に関するものである。
【背景技術】
【０００２】  従来、夜間等暗所における人の活動において他者からの視認性を確保するために着用される光反射材や発光ダイオードを備えた安全胴衣があった。
【考案の開示】
【考案が解決しようとする課題】
【０００３】  これには次の様な問題点があった。
安全胴衣の反射光や発光によって人がいることは確認出来たが、暗所で何を行っているのか、もしくは複数の人員が活動している場合に個々の光が誰なのかを特定する等、活動者の情報を周囲から見て得ることが困難であった。また、光反射材のみでは他者から光を照射しなければ反射光が得られず視認出来ない問題があった。また、光反射材も発光ダイオードも正面方向への光の指向性が強いため左右側面方向からの視認性が悪いという問題があった。また、暗所活動者が物陰にて活動するような場合、視認が不可能であった。本考案は以上の問題点を解決するためになされたものである。
【課題を解決するための手段】
【０００４】  身体上半身に着用可能なベスト等の衣服形状を成す胴衣部と、この胴衣部表面に着用時に身体の正面側から背面側に渡って肩部を越える様に帯状の光反射手段を設け、この光反射手段の表面に帯状長手方向に沿って電気的発光手段を設け、これに電気的に接続されたバッテリー等の電源部を前記胴衣部に備え、前記胴衣部表面の身体の正面側もしくは背面側もしくはその両側に表示情報を発光もしくは照明せしめる電気的発光装置Ａを設けた情報表示板を備え、前記胴衣部と情報表示板は双方に面ファスナー等の着脱可能な結合保持手段を設けてこれにより結合保持し、前記情報表示板に設けた電気的発光装置Ａをコネクタ等の着脱可能な電気的接続手段を介して前記胴衣部に備えた電源部と接続し、前記光反射手段の表面に設けた電気的発光手段について、光透過色であり、かつ柔軟な素材を用いて棒状もしくは管状形状を成すフレキシブル導光体と、その末端部分から光を入射する様に発光ダイオード等の電気的発光装置Ｂを設けて構成し、前記電源部に前記情報表示板に設けた着脱可能な結合保持手段に対して結合可能な結合保持手段を設け、前記フレキシブル導光体は、前記胴衣部と光反射手段を貫通した穴を通した結束手段により胴衣部に保持し、更にこの同じ結束手段を用いて電気配線を胴衣部の裏地側に保持した表示板付き安全胴衣である。
【考案の効果】
【０００５】  胴衣部に備えた情報表示板に名前、班分け、役割、ゼッケン番号等を表示することによって暗所で活動中の人が誰なのか、何を行っているのか等、活動者についての情報やメッセージ等を周囲から見て得ることが可能となる。また、光反射材上に配置したフレキシブル導光体から発せられる光は他者からの光りの照射が無くとも視認可能な上、フレキシブル導光体の太さもしくは厚みにより側面方向にも光が発せられ、左右側面方向からの視認性が確保される。また、情報表示板と電源部には着脱可能な結合保持手段を設けているため、これらを胴衣部から分離して情報表示板と電源部を直接結合保持し、直接電気的に接続することで胴衣部から分離した状態で情報表示板を発光せしめることが可能となるため暗所活動者が物陰にて活動するな場合でも物陰の外の視認が可能な場所に情報表示板を分離して置いて活動者の存在等を周囲に認知させることが可能となる。
【考案を実施するための最良の形態】
【０００６】  以下本考案の実施の形態について説明する。
繊維生地やナイロンもしくはポリエステル等を用いたメッシュ状生地等を用いて縫製もしくは溶着等により身体上半身に着用可能な、例えばベスト等の衣服形状を成す様に形成した胴衣部（１）と、これを着用した際に身体の正面側から背面側に渡って肩部を越える様に帯状の光反射手段（２）を胴衣部（１）の表面に縫い付けもしくは溶着もしくは接着等によって設ける。左右両側面方向からの視認性を確保する場合には左右両側に備える。光反射手段（２）は、例えば塩化ビニル等のシート状の柔軟基材に光沢のある金属粉、光を屈折拡散するガラス粉、着色のための顔料等を配合・塗布し、これらが剥がれないように表皮を塩化ビニルやナイロン等の透明素材でコーティングして構成する。あるいは透明素材のシート表面に光を拡散させるための凹凸形状を設け、その同一面もしくは反対面に塗装もしくはメッキもしくは蒸着加工等によって光を反射する光沢層を備えて構成してもよい。この帯状の光反射手段（２）の表面に帯状長手方向に沿って電気的発光手段（３）を設け、これに電気配線（１２）を通じて電気的に接続した電源部（４）を胴衣部（１）に備える。電源部（４）はバッテリーもしくは乾電池もしくはこれらを収納した容器であり、例えば胴衣部（１）の一部にポケットを設けてその中に収納して備える。あるいは、胴衣部（１）側と電源部（４）側に面ファスナー等の着脱可能な結合保持手段（７）を設けてこれにより結合保持して備えてもよい。電気的発光手段（３）には、例えば帯状のフレキシブル基板上に発光ダイオードを並べて実装したものや、帯状のエレクトロルミネッセンス等を用いることも出来るが、後述するフレキシブル導光体（９）と電気的発光装置Ｂ（１０）を組み合わせたものを用いる事によって側面方向からの視認性が良好に確保される。電気的発光手段（３）の配置は帯状の光反射手段（２）の幅のほぼ中央を通る様に配置することで、電気的発光手段（３）から発した光を光反射手段（２）によって反射させて相乗的に視認性を高めることが出来る。胴衣部（１）表面の身体の正面側もしくは背面側もしくはその両側に表示情報（１６）を発光もしくは照明せしめる様に電気的発光装置Ａ（６）を設けた情報表示板（５）を備える。この情報表示板（５）は、例えばアクリル樹脂もしくはガラス等を用いた透明板材（１３）の側面断面部から発光ダイオード等の電気的発光装置Ａ（６）により光を入射することによって透明板材（１３）表面に蛍光インクや明色インクを用いて手書き、もしくは印刷等により定着した文字や絵などの表示情報（１６）を発光せしめる構造とするものである。この場合透明板材（１３）の背面に暗色の板（１４）を設けることで表示情報（１６）の視認性が高まる。暗色の板（１４）は透明板材（１３）と密着すると密着部が発光してしまうため、間に隙間を設けるか、暗色の板の表面に細かい凹凸シボもしくはザラつきのある艶消し塗装を施す事等により密着を防ぐ事が望ましい。また、透明板材（１３）の外周部断面は光入射部以外の箇所を白色で塗装するか白色もしくは鏡面の反射部材（１５）で囲うことで外周部断面から漏れる光を透明板材（１３）の内側に反射し、表示情報（１６）をより明るく発光せしめることが出来る。また、例えば透明板材（１３）の背面に暗色の板（１４）を配置する代わりに透明板材（１３）の背面側を白色等の明るい色で塗装するか、シボ等の細かい凹凸形状を設けることによって、背面側全体を発光せしめることが出来、これにより透明板材（１３）の表面側に濃色のインクを用いて手書き、もしくは印刷した文字や絵などの情報を逆光によって暗所でも見えるように表示することが出来る。また、この逆光による表示方法を用いる場合、情報を手書きで表示する代わりに液晶表示板を透明板材（１３）の前面側に重ねて配置して電気信号によって液晶による表示内容の制御を行ってもよい。表示情報（１６）を、水性インク等を用いて書き換え可能に表示する場合には水濡れ等で消えない様にシート状の透明樹脂等透明素材を用いた透明カバー（１７）を情報表示板（５）の前面に着脱可能に取り付けるとよい。また、軽量化のため透明カバー（１７）を薄いものとする場合にはこれを湾曲させて取り付けることにより剛性が得られると同時に表示情報（１６）面からの距離を大きく確保出来るため透明カバー（１７）のたわみ接触による表示情報（１６）の汚れ等を防ぐことが出来る。【０００７】  情報表示板（５）を胴衣部（１）に結合保持するため、双方の結合面に面ファスナー等の着脱可能な結合保持手段（７）を縫い付けもしくは溶着もしくは接着等により設ける。胴衣部（１）側の着脱可能な結合保持手段（７）は光反射手段（２）上に重ねて備えても良い。情報表示板（５）側の着脱可能な結合保持手段（７）は情報表示面の反対面側に設けると結合面を広く確保出来る。情報表示板（５）に電源を内蔵しない場合、情報表示板（５）に備わる電気的発光装置Ａ（６）はコネクタ、あるいはプラグとジャック等の着脱可能な電気的接続手段（８）を介して胴衣部（１）に設けた電気配線（１２）を通じて電源部（４）と接続する。尚、電気配線（１２）の途中にスイッチ（１８）を設けて胴衣部（１）表面にて通電を操作できるように備えてもよい。もしくは電源部（４）の筐体にスイッチ（１８）を設けても良い。【０００８】  光反射手段（２）の表面に設けた電気的発光手段（３）は、光透過色であり、かつ柔軟な素材を用いて棒状もしくは管状形状を成したフレキシブル導光体（９）と、その末端から光を入射する様に配置した発光ダイオード等の電気的発光装置Ｂ（１０）を設けて構成する。フレキシブル導光体（９）には例えば光拡散剤を配合した透明ナイロンを棒状に成形したものを用い、あるいは例えばグラスファイバーを用いる。フレキシブル導光体（９）の素材に光を発散する機能が無い場合は表面に細かい凹凸形状やシボを施すことによってこの機能を付加する。フレキシブル導光体（９）は太い程側面方向からの視認性が向上するので、細いものを用いる場合は複数本束ねて設けることで側面方向からの視認性を高めることが出来る。電気的発光装置Ｂ（１０）を両末端に設ける場合には、片方が着用者身体の正面側、片方が身体の背面側に位置するため、各々異なる発光色とするか、もしくは一方を点滅させることによって身体の前後方向を視認させることが可能となる。【０００９】電源部（４）は情報表示板（５）に設けた面ファスナー等の着脱可能な結合保持手段（７）に対し��結合可能な結合保持手段（７）を設ける。これにより情報表示板（５）と電源部（４）を胴衣部（１）から分離して、情報表示板（５）に設けた結合保持手段（７）と電源部（１）に設けた結合保持手段（７）を結合することで一体とし、更にこれらをコネクタ等の着脱可能な電気的接続手段（８）を介して電気的に接続することで、胴衣部（１）から分離独立した状態で情報を発光表示せしめることが可能となる。また、電源部（４）を情報表示板（５）の裏面から大きく出っ張る様に結合した場合には、情報表示板（５）を立てた状態で支えるスタンドとして機能させることが出来る。結合位置もしくは結合方向を複数確保するため、電源部（４）の結合保持手段（７）は複数設けてもよい。同様に情報表示板（５）の結合保持手段（７）は複数設けてもよい。【０００１０】  フレキシブル導光体（９）は、胴衣部（１）と光反射手段（２）を貫通した穴を通した結束手段（１１）により胴衣部（１）に保持する。結束手段（１１）には例えば結束バンド、ゴムバンド、紐、糸等を用いる。更にこの同じ結束手段（１１）を用いて胴衣部（１）に備わる電気配線（１２）の一部もしくは全体を胴衣部（１）の裏地側に保持する。これによって電気配線（１２）の引っ張り強度がフレキシブル導光体（９）によって補強されて断線し難くなる。
本考案は以上の構成より成る表示板付き安全胴衣である。
【図面の簡単な説明】
【００１１】
【図１】本考案の正面図
【図２】本考案の情報表示板を外した正面図
【図３】本考案の背面図
【図４】本考案の情報表示板を外した背面図
【図５】本考案の電気的発光手段の実施例を示す断面図
【図６】本考案の情報表示板の実施例を示す断面図
【図７】本考案のフレキシブル導光体保持構造断面図
【図８】本考案の胴衣部から分離した情報表示板と電源部を結合させた状態を示す側面図
【図９】本考案の回路実施例を示す回路図
【符号の説明】
【００１２】１  胴衣部
２  光反射手段
３  電気的発光手段
４  電源部
５  情報表示板
６  電気的発光装置Ａ
７  着脱可能な結合保持手段
８  着脱可能な電気的接続手段
９  フレキシブル導光体
１０  電気的発光装置Ｂ
１１  結束手段
１２  電気配線
１３  透明板材
１４  暗色の板
１５  反射部材
１６  表示情報
１７  透明カバー
１８  スイッチ
【図１】
0003171334.tif 000003
【図２】
0003171334.tif 000004
【図３】
0003171334.tif 000005
【図４】
0003171334.tif 000006
【図５】
0003171334.tif 000007
【図６】
0003171334.tif 000008
【図７】
0003171334.tif 000009
【図８】
0003171334.tif 000010
【図９】
0003171334.tif 000011